(57)【要約】      （修正有）【課題】搬送パスにスイッチバックさせる原稿及び排紙トレイに排紙する原稿とが上下に重なった状態で搬送される際に、重なり合った前記原稿の上面を押圧することで、下側の原稿を上側の原稿から離間させて確実に排紙トレイに排紙させることのできる原稿搬送装置を提供する。【解決手段】給紙トレイ上に載置された原稿を給紙し、原稿を読み取るための原稿読取位置を経て排紙トレイに排紙する原稿搬送装置であって、原稿を搬送パスにスイッチバックさせると共に、排紙トレイに排紙させるための排紙ローラ対４３の下流側に設けられ、該排紙ローラ対４３から重なった状態で排紙トレイに向けて送り出される２枚の原稿Ｐ１，Ｐ２を上から押圧することによって、下側の原稿Ｐ１を上側の原稿Ｐ２から離間させる押圧ローラ５１を備えた。【選択図】図５
2011251784.tif 000002
【特許請求の範囲】
【請求項１】
給紙トレイ上に載置された原稿を給紙し、原稿を読み取るための原稿読取位置を経て排紙トレイに排紙する原稿搬送装置であって、
前記原稿読取位置に向けて原稿を案内する給紙パスと、
前記原稿読取位置を介して前記給紙路からの原稿を下流に案内する搬送パスと、
該搬送パスに接続され、前記排紙トレイに向けて原稿を案内する排紙パスと、
該排紙パスの下流側に設けられ、原稿を前記排紙トレイに排紙するとともに原稿をスイッチバックして搬送する排紙ローラ対と、
前記原稿読取部からの原稿をスイッチバックして前記排紙パスの下流側に案内するスイッチバックパスと、
前記排紙ローラ対の下流側に設けられ、該排紙ローラ対から重なった状態で排紙トレイに向けて送り出される２枚の原稿を上から押圧することによって、下側の原稿を上側の原稿から離間させる押圧手段とを備えたことを特徴とする原稿搬送装置。
【請求項２】
前記押圧手段は、前記排紙ローラ対の下流側に設けられ、昇降可能に軸支持される押圧ローラと、
該押圧ローラを昇降駆動させるための昇降駆動機構とを備える請求項１に記載の原稿搬送装置。
【請求項３】
前記昇降駆動機構は、前記押圧ローラを回転可能に支持するアームと、このアームの一端に連結されて前記排紙ローラ対の回転を前記押圧ローラの昇降動作に変換するカム部材とを備えて構成される請求項２に記載の原稿搬送装置。
【請求項４】
前記押圧ローラは、前記排紙ローラ対によって、原稿を排紙トレイ側に送り出す方向の回転によって上昇し、原稿を搬送パス側に送り出す方向の回転によって下降する請求項２に記載の原稿搬送装置。
【請求項５】
前記昇降駆動機構は、前記押圧ローラを回転可能に支持するアームと、このアームの一端に連結されて上下方向にスライド駆動させるソレノイドとを備えて構成される請求項２に記載の原稿搬送装置。
【請求項６】
前記押圧手段は、前記排紙ローラ対の下流側の近傍に設けられ、該排紙ローラ対から送り出される２枚の原稿の上面を間欠的に押圧する複数の突起が設けられた凸型ローラを備えて構成される請求項１に記載の原稿搬送装置。
【発明の詳細な説明】
【技術分野】
【０００１】
本発明は、原稿を読取位置に給紙すると共に、読み取られた原稿を排紙する搬送手段を備えた原稿搬送装置に関し、詳しくは排紙パス内を搬送する２枚の原稿の離間を容易にするための構造を備えた原稿搬送装置に関する。
【背景技術】
【０００２】
複写機やスキャナ等の画像形成装置においては、原稿を画像読取部のコンタクトガラス上に搬送するＡＤＦ（オート・ドキュメント・フィーダ）と称される原稿搬送装置が用いられている。
【０００３】
従来、この種の原稿搬送装置としては、原稿読取位置で表面が読み取られた原稿を排紙ローラ対に搬送し、この排紙ローラ対にてスイッチバックした後、反転させて再び原稿読取位置に搬送して原稿の裏面を読み取る構成のものがある。そして、このように構成された原稿搬送装置では、裏面が読み取られた原稿を排紙トレイ上でページ順序が揃うように再び反転して排紙する必要があり、この反転排紙する手段として、例えば、特許文献１のように原稿の裏面を読み取るときと同様に、排紙ローラ対で原稿をスイッチバックした後に読取位置を介して原稿を搬送することで原稿の表裏を反転して排紙トレイに排紙する構成のものがある。
【０００４】
上記特許文献１では、両面原稿の読取処理を短縮するために、先行原稿と後続原稿を重ねて搬送する構成を備えている。この構成では、両面が読み取られた先行原稿の後端に対して後続原稿の後端を上流側に所定距離ずらした状態で重ねて搬送し、先行原稿が排紙ローラ対を通過して排紙され、後続原稿が排紙ローラ対にニップされた状態であるときに排紙ローラ対を逆転させるように制御している。これによって、重なった状態で先行原稿と後続原稿を排紙ローラ対にて搬送しても先行原稿のみを排紙し、後続原稿をスイッチバック搬送することができる。また、この特許文献１には、後続原稿がスイッチバック搬送する際に排紙された先行原稿が後続原稿に追従して再び排紙ローラ対に向かって逆戻りしないように逆戻り防止レバーが設けられている。
【０００５】
前記逆戻り防止レバーは、排紙ローラの回転軸にバネクラッチを介して設けられており、排紙ローラの原稿の排紙方向回転時には、原稿の排紙口から退避した上方の位置で停止し、原稿の排紙方向と異なる方向（スイッチバック方向）の回転時には排紙口まで下降するように構成されている。この構成によって、後続原稿に追従してスイッチバックされる先行原稿のスイッチバック方向の先端が逆戻り防止レバーに当接して移動が阻止され、再び排紙ローラ対に向かって逆戻りしないようにしている。
【０００６】
また、原稿読取位置の下流で原稿をスイッチバックさせ、反転させた状態で排紙トレイに排紙する構成を備えた原稿搬送装置としては、特許文献２にも開示されている。この原稿搬送装置では、２枚の原稿をずらせながら搬送し、１枚を排紙、他の１枚をスイッチバックさせるようになっている。さらに、排紙する原稿とスイッチバックする原稿とが排紙ローラ対によって、２枚同時にスイッチバックして戻ることを防止する戻り防止部材を備えている。
【先行技術文献】
【特許文献】
【０００７】
【特許文献１】特開２００６−３２７７２８号公報
【特許文献２】特開２００４−１７５４６０号公報
【発明の概要】
【発明が解決しようとする課題】
【０００８】
上記スイッチバックパスあるいは反転パス上で２枚の原稿を重ねた状態で搬送させる際に、その重なり合いをずらすように調整することで静電気等による吸着部分を少なくすることができる。しかしながら、接触している部分も残っているため、２枚の原稿をそれぞれ別方向に搬送あるいは離間する際に、重なったままいずれか一方に搬送されたり、一旦離間した原稿が再び引き込まれたりするなどの搬送に支障が生じる場合がある。また、２枚の原稿の重なりをずらすための搬送タイミング調整も煩雑になるといった問題がある。
【０００９】
そこで本発明は、上記の課題を解決するために、搬送パスにスイッチバックさせる原稿及び排紙トレイに排紙する原稿とが上下に重なった状態で搬送される際に、重なり合った前記原稿の上面を押圧することで、下側の原稿を上側の原稿から離間させて確実に排紙トレイに排紙させることのできる原稿搬送装置を提供することを目的とする。
【課題を解決するための手段】
【００１０】
上記課題を解決するために、本発明の原稿搬送装置は、給紙トレイ上に載置された原稿を給紙し、原稿を読み取るための原稿読取位置を経て排紙トレイに排紙する原稿搬送装置であって、前記原稿読取位置に向けて原稿を案内する給紙パスと、前記原稿読取位置を介して前記給紙路からの原稿を下流に案内する搬送パスと、該搬送パスに接続され、前記排紙トレイに向けて原稿を案内する排紙パスと、該排紙パスの下流側に設けられ、原稿を前記排紙トレイに排紙するとともに原稿をスイッチバックして搬送する排紙ローラ対と、前記原稿読取部からの原稿をスイッチバックして前記排紙パスの下流側に案内するスイッチバックパスと、前記排紙ローラ対の下流側に設けられ、該排紙ローラ対から重なった状態で排紙トレイに向けて送り出される２枚の原稿を上から押圧することによって、下側の原稿を上側の原稿から離間させる押圧手段とを備えたことを特徴とする。
【発明の効果】
【００１１】
本発明の原稿搬送装置によれば、排紙ローラ対の下流側に排紙トレイ側に向けて重なった状態で搬送される２枚の原稿の上面を押圧する押圧手段を設けたことによって、上面側の原稿と下面側の原稿との離間が容易となり、下側の排紙原稿が静電気等によって上側の原稿に貼り付くことなく、確実に排紙トレイに排紙させることができる。
【図面の簡単な説明】
【００１２】
【図１】本発明に係る原稿搬送装置の全体構成を示す断面図である。
【図２】上記原稿搬送装置の要部の構成を示す断面図である。
【図３】第１実施形態の押圧手段の平面図である。
【図４】上記第１実施形態の押圧手段の断面図である。
【図５】上記第１実施形態の押圧手段の作用図である。
【図６】第２実施形態の押圧手段の平面図である。
【図７】上記第２実施形態の押圧手段の断面図である。
【図８】第３実施形態の押圧手段の作用図である。
【発明を実施するための形態】
【００１３】
以下、図面を参照しつつ本発明に係る原稿搬送装置の実施形態を詳細に説明する。図１及び図２に示すように本発明の原稿搬送装置１は、画像読取部４を有する本体ユニット２と、この本体ユニット２の上方に開閉可能に取り付けられる搬送読取ユニット３とを備えて構成されている。
【００１４】
画像読取部４は、光学部５を固定した状態で第１の原稿読取部（第１コンタクトガラス）６の原稿読取位置Ｘ上を通過する原稿を読み取る。また、本体ユニット２の上面には、原稿を載置するための平面スペースを有する第２の原稿読取部（第２コンタクトガラス）７が設けられ、このコンタクトガラス７上にセットされた原稿に対しては前記画像読取部４の光学部５が移動することによって読み取ることができる。
【００１５】
前記画像読取部４は、ランプなどの光源１０、複数のミラー１１、レンズ１６、ＣＣＤなどの光電変換素子１７等を備える。搬送あるいは載置された原稿には、第１コンタクトガラス６又は第２コンタクトガラス７を介して光源１０から発せられる光が照射される。そして、原稿面に照射されて反射した光を複数のミラー１１によって何度か反射させた後、レンズ１６を介して光電変換素子１７で光電変換することで原稿の画像が読み取られる。
【００１６】
次に、搬送読取ユニット３の構成について説明する。この搬送読取ユニット３は、図１及び図２に示したように、複数枚の原稿を載置可能な給紙トレイ２０と、この給紙トレイ２０から繰り出された原稿を搬送する搬送経路上に設けられる各種ローラ対と、読取処理の終了した原稿を収納する排紙トレイ２２とを備えている。
【００１７】
前記搬送経路は、上流側に位置している給紙トレイ２０から第１コンタクトガラス６に向けて延びる給紙パス２３と、第１コンタクトガラス６上の原稿読取位置Ｘを通る搬送パス２４と、この搬送パス２４から下流側に延びる排紙パス４５及びこの排紙パス４５に接続されるスイッチバックパス４６とを備える。
【００１８】
前記排紙パス４５は、前記原稿読取位置Ｘから排紙トレイ２２の排紙口２２ａまで延びており、略中間地点からは前記給紙パス２３に合流する再給紙パス４７が分岐接続される。前記スイッチバックパス４６は、前記原稿読取位置Ｘを通過した原稿を排紙トレイ２２の下方に設けられている引込スペース３７にガイドする中継パス２６から上方に向けて折り返すようにして前記排紙パス４５の接続位置３８に繋がる。
【００１９】
前記給紙トレイ２０の下流側には、支持トレイ２１と、この支持トレイ２１の上に移動してくる原稿を繰り出すために昇降する繰出ローラ２７と、繰り出された原稿を給送する給紙ローラ２８と、この給紙ローラ２８に圧接（ニップ）して原稿を１枚づつ分離する分離パッド２９と、１枚づつ分離されて給紙される原稿の先端を突き当てて整合した後に第１コンタクトガラス６に向けて送り出すレジストローラ対３０とが設けられている。
【００２０】
前記搬送パス２４には、第１コンタクトガラス６の上流側に配置される第１リードローラ対３２と、下流側に配置される第２リードローラ対３３とを備える。
【００２１】
前記排紙パス４５の下流側端部には、一の面（表面）の画像が読み取られた原稿を排紙トレイ２２の上方において一時的に引込退避させた後、前記再給紙パス４７に向けて送り出すための排紙ローラ対４３が設けられる。また、前記再給紙パス４７上には、待機ローラ対４８が設けられる。
【００２２】
前記排紙ローラ対４３は、図２に示したように、一方が正転、反転駆動が可能な駆動ローラ４３ａで、他方が回転フリーの従動ローラ４３ｂで構成され、互いに圧接及び離間可能に配置される。前記排紙ローラ対４３は、駆動ローラ４３ａが固定で、従動ローラ４３ｂが揺動可能となっている。以下、正転とは原稿を下流側に送り出すような反時計回りの回転をいい、反転とは原稿を上流側に送り戻すような時計回りの回転をいう。
【００２３】
前記スイッチバックパス４６には、表裏両面の画像が読み取られた原稿を前記引込スペース３７に引き込むと共に、前記排紙パス４５の接続位置３８に向けて送り出す反転ローラ対４４が設けられる。この反転ローラ対４４は、前記引込スペース３７の上流側に配置され、一方が正転、反転駆動が可能な駆動ローラ４４ａで、他方が回転フリーの従動ローラ４４ｂとなっている。
【００２４】
前記排紙パス４５とスイッチバックパス４６とが分岐する箇所には、原稿の読み取り過程に応じて、排紙パス４５とスイッチバックパス４６のいずれかに向けて原稿の流れを交互に切り替えるための切換手段（切換フラッパー）３４が設けられる。この切換フラッパー３４は、原稿読取位置Ｘから排紙ローラ対４３に向けてガイドする第１ガイド面３４ａ、原稿読取位置Ｘから引込スペース３７に向けてガイドする第２ガイド面３４ｂ、引込スペース３７から排紙パス４５の接続位置３８に向けてガイドする第３ガイド面３４ｃからなる３方向のガイド面を有し、この３方向のガイド面が回転軸３６によって回動可能となっている。この切換フラッパー３４は、それぞれのガイド面が原稿の厚み幅の範囲内で回動する。
【００２５】
また、図２に示したように、原稿が通過する各所には各種のセンサ（Ｓ１〜Ｓ５）が設けられている。繰出ローラ２７の近傍には支持トレイ２１から給紙されてくる原稿を検出するエンプティセンサＳ１が配置され、レジストローラ対３０の近傍にはレジストセンサＳ２、原稿読取位置Ｘの近傍にはリードセンサＳ３がそれぞれ配置される。また、前記原稿読取位置Ｘの下流側には、反転センサＳ４、反転排出センサＳ５が設けられる。
【００２６】
図３は、排紙パス４５上の構成を示したものである。この排紙パス４５は、前記接続位置３８の上流側に位置している切換フラッパー３４の第１ガイド面３４ａと、この第１ガイド面３４ａの下流側に配設されている搬送ガイド部材３９の搬送ガイド面３９ａとで構成される。前記第１ガイド面３４ａ及び搬送ガイド面３９ａは、原稿の搬送方向と直交し、搬送される原稿を載置するのに十分な搬送ガイド幅を有して形成されている。  
【００２７】
排紙ローラ対４３は、前記搬送ガイド面３９ａの下流側端部で搬送ガイド幅方向に延びる回転シャフト４０に一定の間隔を有して取り付けられた２つの駆動ローラ４３ａと、それぞれの駆動ローラ４３ａの上面に当接する２つの従動ローラ４３ｂとで構成されている。前記駆動ローラ４３ａは、搬送ガイド面３９ａの端部に設けた開口部３９ｂから露出するように配置されている。  
【００２８】
前記駆動ローラ４３ａは、前記回転シャフト４０の一端に連結されているギアやタイミングベルト等からなる回転機構部１２を介してモータＭの回転力が伝達され、所定のタイミングに基づいて正転及び反転駆動される。
【００２９】
前記排紙ローラ対４３の下流側には、図３に示したように、第１実施形態の押圧手段５０が設けられる。この押圧手段５０は、排紙ローラ対４３から排紙トレイ２２に向けて送り出される原稿を下方に向けて押し下げることによって、重なった２枚の原稿を離間させるための押圧ローラ５１と、この押圧ローラ５１を昇降可能に支持する昇降駆動機構５２とを備えて構成されている。
【００３０】
前記押圧ローラ５１は、前記排紙ローラ対４３と対向する位置に押圧ローラ支持軸５３を介して回転可能に取り付けられている。
【００３１】
前記昇降駆動機構５２は、装置本体の側板１３に取り付けられている回転支持軸５４に固定され、前記押圧ローラ５１が取り付けられている押圧ローラ支持軸５３の両端に向けて延びる一対のアーム５６と、前記回転支持軸５４に連結されて前記排紙ローラ対４３の回転を伝達する複数のカム部材５７とを備えて構成されている。
【００３２】
前記カム部材５７は、排紙ローラ対４３の駆動ローラ４３ａに設けられる駆動カム５８と、この駆動カム５８に連結される第１従動カム５９及びこの第１従動カム５９に連結される第２従動カム６０と、前記アーム５６の一端に取り付けられ、前記第２従動カム６０に連結されるアーム駆動カム６１とによって構成されている。
【００３３】
また、前記アーム５６の上下方向には、該アーム５６の一端に軸支持されている押圧ローラ５１の上昇位置及び下降位置を規制するための一対のストッパ６２ａ，６２ｂが備えられている。
【００３４】
図４は前記押圧手段５０の動作を示したものである。図４（ａ）は排紙ローラ対４３によって原稿を排紙トレイ２２側に送り出す際の動作を示したものである。駆動ローラ４３ａが原稿を排紙トレイ２２に送り出す方向に回転（正転）すると、駆動カム５８から第１従動カム５９及び第２従動カム６０を介してアーム駆動カム６２に前記駆動カム５８とは反対方向の回転力が付与される。このアーム駆動カム６１の反時計回りの回転に伴って、アーム５６の先端に軸支持されている押圧ローラ５１が上昇する。前記駆動カム５８及びアーム駆動カム６１には、それぞれトルクリミッタ５８ａ，６１ａが設けられ、前記駆動ローラ４３ａが回転し続けても、アーム５６が上側のストッパ６２ａに当接して停止した際、回転が解除されるようになっている。このように、原稿の排紙トレイ２２側への送り出し動作中は、押圧ローラ５１が搬送中の原稿面に当接しない上方位置に退避される。
【００３５】
上記排紙ローラ対の正転動作は、図５（ａ）に示すように、下側の原稿Ｐ１が排紙ローラ対４３を通過するまで行われる。そして、前記下側の原稿Ｐ１の後端が排紙ローラ対４３を通過したことを反転センサＳ４（図２参照）が感知すると、図５（ｂ）に示すように、この状態で排紙ローラ対４３が停止する。
【００３６】
前記排紙ローラ対４３が停止した直後に、図４（ｂ）に示すように、駆動ローラ４３ａが原稿を図中左側に位置する搬送パス２４（図２参照）側に送り出す方向に回転（反転）する。この排紙ローラ対４３の反転動作によって、駆動カム５８から第１従動カム５９及び第２従動カム６０を介してアーム駆動カム６１に前記駆動カム５８とは反対方向の回転力が伝達される。このアーム駆動カム６１の時計回りの回転に伴って、アーム５６の先端に軸支持されている押圧ローラ５１が下降する。前述したように、前記駆動カム５８及びアーム駆動カム６１には、トルクリミッタ５８ａ，６１ａが設けられ、前記駆動ローラ４３ａが回転し続けても、アーム５６が下側のストッパ６２ｂに当接して停止した際、回転が解除されるようになっている。これによって、原稿Ｐ２の搬送パス２４側への送り出し動作中は、押圧ローラ５１が搬送中の原稿Ｐ２に当接して下方へ押し下げる状態となる。
【００３７】
前記図４（ｂ）に示した状態で押圧ローラ５１を下降させることによって、図５（ｃ）に示すように、下側の原稿Ｐ１が上側の原稿Ｐ２から離れやすくなり、原稿Ｐ１をスムーズに排紙トレイ２２へ収容させることができる。一方、上側の原稿Ｐ２は押圧ローラ５１に当接した状態のまま、排紙ローラ対４３の反転によって図中左側の搬送パス２４（図２参照）側に送り出される。このように、２枚の原稿Ｐ１，Ｐ２間に静電気等が発生して貼り付いた状態となっても、前記押圧ローラ５１による押圧動作によって２枚の原稿Ｐ１，Ｐ２が変形して両者間に隙間が生じることで、下側の原稿Ｐ１を容易に離間することができる。これによって、上側の原稿Ｐ２が搬送パス２４側へスイッチバックする際、下側の原稿Ｐ１が貼り付いたまま搬送されることがない。
【００３８】
図６及び図７は、第２実施形態の押圧手段７０の構成を示したものである。この押圧手段７０は、前記第１実施形態と同様に、排紙ローラ対４３から排紙トレイ２２に向けて送り出される原稿を下方に向けて押し下げることによって、重なった２枚の原稿を離間させるための押圧ローラ５１と、この押圧ローラ５１を昇降可能に支持する昇降駆動機構７２とを備えて構成されている。  
【００３９】
前記押圧ローラ５１は、第１実施形態と同様に、前記排紙ローラ対４３と対向する位置に押圧ローラ支持軸５３を介して回転可能に取り付けられている。昇降駆動機構７２は、装置本体の側板１３に取り付けられている回転支持軸７４に固定され、前記押圧ローラ５１が取り付けられている押圧ローラ支持軸５３の両端に向けて延びる一対のアーム７６と、前記押圧ローラ５１の下方に配置されるソレノイド７７と、このソレノイド７７と前記回転支持軸７４とを連結する連結板７８とによって構成される。前記ソレノイド７７は、電磁駆動部７９と、この電磁駆動部７９の上部から昇降可能に突出し、先端に係合ピン８０を有する昇降バー８１とによって構成される。また、前記連結板７８は、一端に設けられている長孔８２内に前記昇降バー８１の係合ピン８０が係合され、他端が前記回転支持軸７４に回転可能に支持されている。前記連結板７８は、上端がバネ部材８３によって装置本体の上方に付勢されている。  
【００４０】
図７（ａ）は、排紙ローラ対４３によって原稿を排紙トレイ２２側に送り出す際の押圧手段７０の動作を示したものである。駆動ローラ４３ａが原稿を排紙トレイ２２に送り出す方向に回転（正転）すると、前記ソレノイド７７のスイッチがＯＮとなり、昇降バー８１が上昇する。この昇降バー８１の上昇に伴って、連結板７８が係合ピン８０によって持ち上がり、回転支持軸７４を反時計回りに回動させる。この回動によってアーム７６が持ち上がり押圧ローラ５１を原稿面より上方に退避させる。
【００４１】
前述したように、上記排紙ローラ対４３の正転動作は、図５（ａ）に示したように、下側の原稿Ｐ１が排紙ローラ対４３を通過するまで行われる。そして、前記原稿Ｐ１の後端が排紙ローラ対４３を通過したことを反転センサＳ４（図２参照）が感知すると、図５（ｂ）に示すように、この状態で駆動ローラ４３ａが停止する。
【００４２】
図７（ｂ）は、排紙ローラ対４３によって原稿を図中左側の搬送パス２４側に送り出す際の押圧手段７０の動作を示したものである。駆動ローラ４３ａが原稿を搬送パス２４に送り出す方向に回転（反転）すると、前記ソレノイド７７のスイッチがＯＦＦとなり、昇降バー８１が下降する。この昇降バー８１の下降に伴って、連結板７８が係合ピン８０によって右側に傾くように下がり、回転支持軸７４を時計回りに回動させる。この回動によってアーム７６が下降し、押圧ローラ５１が原稿面を押し下げる。この押圧ローラ５１の下降によって、図５（ｃ）に示したように、下側の原稿Ｐ１が上側の原稿Ｐ２から離れやすくなり、下側の原稿Ｐ１をスムーズに排紙トレイ２２へ収容させることができる。
【００４３】
図８は、第３実施形態の押圧手段９０の構成を示したものである。この押圧手段９０では、前記排紙ローラ対４３の下流側に回転フリーの凸型ローラ９１を配置したものである。この凸型ローラ９１は、装置本体の側板１３に配設される回転支持軸９４に取り付けられ、回転面に複数の突起９５が形成されている。前記排紙ローラ対４３によって排紙トレイ２２側に搬送されてくる上側の原稿Ｐ２の上面に前記突起９５が回転して間欠的に当接して押し下げることで下側の原稿Ｐ１との間に隙間を生じさせて両原稿を離間しやすくすることができる。この実施形態の押圧手段９０は、前記駆動ローラ４３ａの回転とは関係なく、常時原稿の搬送方向に沿って自由回転するだけであるので、構成が簡易である。
【００４４】
以上、説明したように、上記各種の前記押圧手段を排紙トレイの下流側に設けたことによって、２枚重なった状態で搬送されてくる原稿のうち、排紙トレイに収容する原稿の離間が容易となった。これによって、搬送パスに再搬送させる他の原稿のスイッチバック動作に影響を及ぼすおそれがなく、原稿のスムーズな搬送を実現することが可能となった。
【符号の説明】
【００４５】
Ｘ  原稿読取位置
１  原稿搬送装置
２  本体ユニット
３  搬送読取ユニット
４  画像読取部
５  光学部
６  第１コンタクトガラス
７  第２コンタクトガラス
１０  光源
１１  ミラー
１２  回転機構部
１３  側板
１６  レンズ
１７  光電変換素子
２０  給紙トレイ
２１  支持トレイ
２２  排紙トレイ
２２ａ  排紙口
２３  給紙パス
２４  搬送パス
２６  中継パス
２７  繰出ローラ
２８  給紙ローラ
２９  分離パッド
３０  レジストローラ対
３２  第１リードローラ対
３３  第２リードローラ対
３４  切換フラッパー
３４ａ  第１ガイド面
３４ｂ  第２ガイド面
３４ｃ  第３ガイド面
３６  回転軸
３７  引込スペース
３８  接続位置
３９  搬送ガイド部材
３９ａ  搬送ガイド面
３９ｂ  開口部
４０  回転シャフト
４３  排紙ローラ対
４３ａ  駆動ローラ
４３ｂ  従動ローラ
４４  反転ローラ対
４４ａ  駆動ローラ
４４ｂ  従動ローラ
４５  排紙パス
４６  スイッチバックパス
４７  再給紙パス
４８  待機ローラ対
４８ａ  駆動ローラ
４８ｂ  従動ローラ
４９  反転排紙パス
５０  押圧手段
５１  押圧ローラ
５２  昇降駆動機構
５３  押圧ローラ支持軸
５４  回転支持軸
５５  固定支持軸
５６  アーム
５７  カム部材
５８  駆動カム
５８ａ  トルクリミッタ
５９  第１従動カム
６０  第２従動カム
６１  アーム駆動カム
６１ａ  トルクリミッタ
６２  ストッパ
７０  押圧手段
７２  昇降機構
７４  回転支持軸
７６  アーム
７７  ソレノイド
７８  連結板
７９  電磁駆動部
８０  係合ピン
８１  昇降バー
８２  長孔
８３  バネ部材
９０  押圧手段
９１  凸型ローラ
９４  回転支持軸
９５  突起
【図１】
2011251784.tif 000003
【図２】
2011251784.tif 000004
【図３】
2011251784.tif 000005
【図４】
2011251784.tif 000006
【図５】
2011251784.tif 000007
【図６】
2011251784.tif 000008
【図７】
2011251784.tif 000009
【図８】
2011251784.tif 000010